(57)【要約】【課題】周囲のノイズなどの影響を受けても、誤動作することなく正確に記録媒体の挿入を検出できる記録媒体検出装置を提供する。【解決手段】挿入されたＣＤ４によって光路が遮断される空間に変調された光信号を発光する発光ダイオードＬＥＤ１と、発光ダイオードＬＥＤ１からの光信号を受光可能な位置に配置されたフォトトランジスタＰＴ１と、発光ダイオードＬＥＤ１からの変調された光信号がフォトトランジスタＰＴ１によって受光されたか否かの判定に基づきＣＤ４の挿入の有無を検出する。【選択図】　図１
2004118942.tif 000002
【特許請求の範囲】
【請求項１】
挿入された記録媒体によって光路が遮断される空間に変調された光信号を発光する送信手段と、
前記発光手段からの光信号を受光可能な位置に配置された受信手段と、
前記送信手段からの変調された光信号が前記受信手段によって受光されたか否かの判定に基づき記録媒体の挿入の有無を検出する検出手段と
を有することを特徴とする記録媒体検出装置。
【請求項２】
挿入された記録媒体によって光路が遮断される空間に変調された光信号を発光する第１の送信手段と、
前記第１の送信手段からの光信号を受光可能な位置に配置された第１の受信手段と、
挿入された記録媒体によって光路が遮断されない空間に変調された光信号を発光する第２の送信手段と、
前記第２の送信手段からの光信号を受光可能な位置に配置された第２の受信手段と、
前記第１及び第２の送信手段からの変調された光信号が前記第１及び第２の受信手段によってそれぞれ受光されたか否かの判定に基づき記録媒体の挿入の有無を検出する検出手段と
を有することを特徴とする記録媒体検出装置。
【請求項３】
光信号を発光する側の前記送信手段及び当該光信号を受光する側の前記受信手段は、一体の電子部品であるフォトカップラ又は近接スイッチで構成されていることを特徴とする請求項１又は２記載の記録媒体検出装置。
【発明の詳細な説明】
【０００１】
【発明の属する技術分野】
本発明は、記録媒体の挿入の有無を検出する記録媒体検出装置に関する。
【０００２】
【従来の技術】
従来の記録媒体検出装置においては、ＣＤやＭＤなどの記録媒体によって光路が遮断される空間に光信号を発光する発光ダイオードと、その発光ダイオードからの光信号を受光可能な位置に配置されたフォトトランジスタを備えている。このような構成により、フォトトランジスタが光信号を受光した場合には、記録媒体が挿入されていないことが検出され、フォトトランジスタが光信号を受光しない場合には、記録媒体が挿入されていることが検出される。
【０００３】
【発明が解決しようとする課題】
しかしながら、上記従来の記録媒体検出装置においては、フォトトランジスタが周囲のノイズなどの影響を受けて誤動作する場合があり、記録媒体の挿入を正確に検出できないという問題点があった。例えば、従来の記録媒体検出装置を具備した車載用の記録媒体再生装置においては、車両のイグニッションや車両に搭載された無線機などから電気的なノイズの影響を受けたり、日中における太陽光や夜間における他の車両からのヘッドライトなどによって、光のノイズの影響を受ける場合があった。
【０００４】
なお、このような従来の記録媒体検出装置の構成は、極めて一般的なものであり、かかる構成を記載した文献も膨大な数に昇り、最も適切な先行技術文献として具体的なものを開示することは極めて困難である。したがって、上記したような当業者の間ですでに周知となっている一般の記録媒体検出装置の構成を従来の技術の一例とする。
【０００５】
本発明は上記問題点に鑑みてなされたものであり、その目的とするところは、周囲のノイズなどの影響を受けても、誤動作することなく正確に記録媒体の挿入を検出できる記録媒体検出装置を提供することにある。
【０００６】
【課題を解決するための手段】
上記目的を達成するために本発明の記録媒体検出装置は、挿入された記録媒体によって光路が遮断される空間に変調された光信号を発光する送信手段と、前記発光手段からの光信号を受光可能な位置に配置された受信手段と、前記送信手段からの変調された光信号が前記受信手段によって受光されたか否かの判定に基づき記録媒体の挿入の有無を検出する検出手段とを有するようにした。
【０００７】
従って、本発明の記録媒体検出装置によれば、挿入された記録媒体によって光路が遮断される空間において、変調された特殊な光信号が受光されたか否かの判定に基づいて、記録媒体の挿入の有無を検出するので、周囲のノイズなどの影響を受けても、誤動作することなく正確に記録媒体の挿入を検出ことができる。
【０００８】
本発明の記録媒体検出装置は、挿入された記録媒体によって光路が遮断される空間に変調された光信号を発光する第１の送信手段と、前記第１の送信手段からの光信号を受光可能な位置に配置された第１の受信手段と、挿入された記録媒体によって光路が遮断されない空間に変調された光信号を発光する第２の送信手段と、前記第２の送信手段からの光信号を受光可能な位置に配置された第２の受信手段と、前記第１及び第２の送信手段からの変調された光信号が前記第１及び第２の受信手段によってそれぞれ受光されたか否かの判定に基づき記録媒体の挿入の有無を検出する検出手段とを有するようにした。
【０００９】
従って、本発明の記録媒体検出装置によれば、挿入された記録媒体によって光路が遮断されない空間において、変調された光信号が受光されたか否かの判定によって、周囲のノイズなどの影響の有無を検出し、ノイズなどの影響が無い場合に、挿入された記録媒体によって光路が遮断される空間において、変調された光信号が受光されたか否かの判定に基づいて、記録媒体の挿入の有無を検出するので、周囲のノイズなどの影響を受けても、誤動作することなく正確に記録媒体の挿入を検出ことができる。
【００１０】
本発明の記録媒体検出装置は、光信号を発光する側の前記送信手段及び当該光信号を受光する側の前記受信手段が、一体の電子部品であるフォトカップラ又は近接スイッチで構成されているようにした。
【００１１】
従って、本発明の記録媒体検出装置によれば、フォトカップラ又は近接スイッチによって発光位置から受光位置までの光路を確実に設定することができる。
【００１２】
【発明の実施の形態】
以下、図面に基づいて本発明の装置の実施の形態１乃至３を説明する。図１は各実施の形態による記録媒体検出装置を具備した車載用の音響装置の構造を示す図であり、図１（１）はその側面図である。ＣＤ再生機器を内蔵する本体１は、メイン基板２に搭載されている。また、本体１の前面側のメイン基板２には、スイッチ基板３が取り付けられている。この図ではＣＤ４が本体１に挿入されている状態を示している。
【００１３】
このスイッチ基板３の背面側３ａには、発光ダイオードＬＥＤ１（第１の送信手段に相当する）及び発光ダイオードＬＥＤ２（第２の送信手段に相当する）と、フォトトランジスタＰＴ１（第１の受信手段に相当する）及びフォトトランジスタＰＴ２（第２の受信手段に相当する）が取り付けられている。なお、図には示していないが、スイッチ基板３よりもさらに前面側には、表示器やスイッチ群が取り付けられ、ＣＤ挿入口が設けられた操作パネルがある。
【００１４】
図１（２）は、スイッチ基板３の背面側３ａの平面図である。このスイッチ基板３の略中央部には、記録媒体であるＣＤを挿入するための挿入口３ｂが形成されている。そして、発光ダイオードＬＥＤ１とフォトトランジスタＰＴ１とは、この挿入口３ｂを間に挟んで対向して取り付けられている。一方、発光ダイオードＬＥＤ２とフォトトランジスタＰＴ２とは、この挿入口３ｂから外れた位置に対向して取り付けられている。
【００１５】
すなわち、発光ダイオードＬＥＤ１は、挿入されたＣＤ４によって光路が遮断される空間に光信号を発光する位置に配置され、フォトトランジスタＰＴ１は、発光ダイオードＬＥＤ１からの光信号を受光可能な位置に配置されている。一方、発光ダイオードＬＥＤ２は、挿入されたＣＤ４によって光路が遮断されない空間に光信号を発光する位置に配置され、フォトトランジスタＰＴ２は、発光ダイオードＬＥＤ２からの光信号を受光可能な位置に配置されている。
【００１６】
図２は、スイッチ基板３内における光信号回路５及びメイン基板２内における制御回路６の回路図である。制御回路６にはマスターマイコン７（検出手段に相当する）及びトランジスタＴＲ１が含まれている。トランジスタＴＲ１は、マスターマイコン７のＬＥＤ出力ポートから出力されるデューティ５０％のパルス信号である変調信号を増幅して、光信号回路４の発光ダイオードＬＥＤ１及びＬＥＤ２のカソードに入力する。
【００１７】
これにより、発光ダイオードＬＥＤ１及びＬＥＤ２の各々は、このパルス信号によって変調された光信号を発光する。いま、ＣＤ４が挿入されていない状態を想定すると、発光ダイオードＬＥＤ１から発光された光信号はフォトトランジスタＰＴ１によって受光され、発光ダイオードＬＥＤ２から発光された光信号はフォトトランジスタＰＴ２によって受光される。
【００１８】
一方、ＣＤ４が挿入されている状態を想定すると、発光ダイオードＬＥＤ１から発光された光信号は、その光路がＣＤ４によって遮断されるので、フォトトランジスタＰＴ１には受光されない。しかし、発光ダイオードＬＥＤ２から発光された光信号は、その光路がＣＤ４によって遮断されないので、ＣＤ４の挿入の有無にかかわらずフォトトランジスタＰＴ２によって受光される。
【００１９】
したがって、ＣＤ４が挿入されていない状態では、フォトトランジスタＰＴ１及びＰＴ２からは、変調された光信号に同期した電気信号、すなわち、マスターマイコン７のＬＥＤ出力ポートから出力されるパルス信号に同期した電気信号が、マスターマイコン７のＰＴ１入力ポート及びＰＴ２入力ポートに入力される。
【００２０】
一方、ＣＤ４が挿入されている状態では、フォトトランジスタＰＴ２からは、変調された光信号に同期した電気信号、すなわち、マスターマイコン７のＬＥＤ出力ポートから出力されるパルス信号に同期した電気信号が、マスターマイコン７のＰＴ２入力ポートに入力される。しかし、フォトトランジスタＰＴ１からマスターマイコン７のＰＴ１入力ポートには、何の信号も入力されない。
【００２１】
図３〜図５は、マスターマイコン７によって実行される制御処理のメインフローチャートである。図３において、まず、ＬＥＤ出力ポートからパルス信号（変調信号）を出力して、発光ダイオードＬＥＤ１及びＬＥＤ２を点灯させるＬＥＤ点灯処理を行う（ステップＳ１）。次に、タイマレジスタＴに所定時間Ｔ１（例えば、１０ｍｓ）をセットする（ステップＳ２）。そして、一定時間（例えば、１００μｓ）ごとのタイマインタラプトが入ると、図４に示すフローチャートにおいて、Ｔの値を１（１００μｓ）だけデクリメントする（ステップＳ６）。
【００２２】
図３において、Ｔの値が「０」に達したか否かを判別し（ステップＳ３）、Ｔの値が「０」に達していない場合には、他の処理を実行して（ステップＳ５）、ステップＳ３に戻ってＴの値が「０」に達したか否かを判別する。Ｔの値が「０」に達したとき、すなわち、Ｔ１の時間が経過したときは、記録媒体検出処理を実行する（ステップＳ４）。すなわち、マスターマイコン７は、Ｔ１（例えば、１０ｍｓ）の時間間隔で記録媒体検出処理を実行する。
【００２３】
図５は、その記録媒体検出処理のフローチャートである。このフローでは、まず、ＰＴ２入力ポートがオンであるか否かを判別する（ステップＳ１１）。すなわち、ＰＴ２入力ポートにフォトトランジスタＰＴ２からパルス信号が入力したか否かを判別する。ＰＴ２入力ポートがオンである場合には、ノイズなどの影響を受けていないので、正常動作であることを確認する。そして、ＰＴ１入力ポートがオンであるか否かを判別する（ステップＳ１２）。すなわち、ＰＴ１入力ポートにフォトトランジスタＰＴ１からパルス信号が入力したか否かを判別する。
【００２４】
ＰＴ１入力ポートがオフである場合には、スイッチ基板３の挿入口３ｂから挿入されたＣＤ４によって、発光ダイオードＬＥＤ１からフォトトランジスタＰＴ１への光信号が遮断された場合である。したがって、その挿入されたＣＤ４をローディングする処理を行う（ステップＳ１４）。すなわち、本体１のＣＤ再生機器にＣＤ４をローディングする旨の指令を送出する。そして、タイマレジスタにＴ１をセットし（ステップＳ１５）、図３のメインフローに戻る。
【００２５】
ステップＳ１２において、ＰＴ１入力ポートがオンである場合には、発光ダイオードＬＥＤ１からフォトトランジスタＰＴ１への光信号が遮断されていない場合である。この場合には、ＣＤ４が挿入されていないので、タイマレジスタにＴ１をセットし（ステップＳ１５）、図３のメインフローに戻る。
【００２６】
ステップＳ１１において、ＰＴ２入力ポートがオフである場合には、ノイズなどの影響を受けていて、正常動作ではないことを確認する。この場合には、操作パネルの表示器にノイズの影響を受けている旨のメッセージを表示するなどのエラー処理を行う（ステップＳ１６）。
【００２７】
以上のように、本実施の形態１によれば、挿入されたＣＤ４によって光路が遮断されない空間において、パルス信号で変調された光信号が受光されたか否かの判定によって、周囲のノイズなどの影響の有無を検出し、ノイズなどの影響が無い場合に、挿入されたＣＤ４によって光路が遮断される空間において、パルス信号で変調された光信号が受光されたか否かの判定に基づいて、ＣＤ４の挿入の有無を検出するので、周囲のノイズなどの影響を受けても、誤動作することなく正確にＣＤ４の挿入を検出ことができる。
【００２８】
なお、上記実施の形態１においては、光信号を発光する２つの発光ダイオードＬＥＤ１及びＬＥＤ２と、対向する各発光ダイオードＬＥＤからの光信号を受光するフォトトランジスタＰＴ１及びＰＴ２を設けた構成にしたが、実施の形態２として、１つの発光ダイオードＬＥＤ１及びこれからの光信号を受光する１つのフォトトランジスタＰＴ１だけを設ける構成にしてもよい。
【００２９】
上記したように、発光ダイオードＬＥＤ１から発光される光信号は、パルス信号によって変調されているので、イグニッションノイズのようなインパルス的なノイズや無線機からの不規則なノイズ、又は、太陽光やヘッドライトなどの直流的な光のノイズとは異なり、規則的なパルス信号で変調された光信号である。したがって、フォトトランジスタＰＴ１からマスターマイコン７に入力される信号に対して、適切なフィルタ処理や同期復調処理によって、周囲からのノイズと分離して検出することができる。
【００３０】
本発明の実施の形態２によれば、挿入されたＣＤ４によって光路が遮断される空間において、パルス信号で変調された特殊な光信号が受光されたか否かの判定に基づいて、ＣＤ４の挿入の有無を検出するので、周囲のノイズなどの影響を受けても、誤動作することなく正確にＣＤ４の挿入を検出ことができる。
【００３１】
また、上記実施の形態１及び２においては、別々の電子部品である発光ダイオードとフォトトランジスタによって、発光側と受光側とを構成したが、実施の形態３として、１つの電子部品であるフォトカップラ又は近接スイッチによって、発光側と受光側とを一体化した構成にしてもよい。
【００３２】
このような本発明の実施の形態３によれば、フォトカップラ又は近接スイッチによって発光位置から受光位置までの光路を確実に設定することができる。なお、近接スイッチを使用した場合には、発光された光信号が挿入されたＣＤ４によって反射され、その反射光が受光側に入力するので、受光側が光信号を受光した場合に、ＣＤ４の挿入を検出することになる。
【００３３】
【発明の効果】
上記のように構成された本発明の記録媒体検出装置によれば、挿入された記録媒体によって光路が遮断される空間において、変調された特殊な光信号が受光されたか否かの判定に基づいて、記録媒体の挿入の有無を検出するので、周囲のノイズなどの影響を受けても、誤動作することなく正確に記録媒体の挿入を検出ことができる。
【００３４】
また、上記のように構成された本発明の記録媒体検出装置によれば、挿入された記録媒体によって光路が遮断されない空間において、変調された光信号が受光されたか否かの判定によって、周囲のノイズなどの影響の有無を検出し、ノイズなどの影響が無い場合に、挿入された記録媒体によって光路が遮断される空間において、変調された光信号が受光されたか否かの判定に基づいて、記録媒体の挿入の有無を検出するので、周囲のノイズなどの影響を受けても、誤動作することなく正確に記録媒体の挿入を検出ことができる。
【図面の簡単な説明】
【図１】本発明の記録媒体検出装置を具備した実施の形態１における音響装置の構造を示す図である。
【図２】本発明の実施の形態１における音響装置のスイッチ基板の平面図である。
【図３】本発明の実施の形態１におけるマスターマイコンによって実行される制御処理のメインフローチャートである。
【図４】本発明の実施の形態１におけるマスターマイコンによって実行されるタイマインタラプトのフローチャートである。
【図５】本発明の実施の形態１におけるマスターマイコンによって実行される記録媒体検出処理のフローチャートである。
【符号の説明】
４　ＣＤ（記録媒体）
７　マスターマイコン（検出手段）
ＬＥＤ１　発光ダイオード（第１の送信手段）
ＬＥＤ２　発光ダイオード（第２の送信手段）
ＰＴ１　フォトトランジスタ（第１の受信手段）
ＰＴ２　フォトトランジスタ（第２の受信手段）
【図１】
2004118942.tif 000003
【図２】
2004118942.tif 000004
【図３】
2004118942.tif 000005
【図４】
2004118942.tif 000006
【図５】
2004118942.tif 000007